(57)【要約】【課題】張架方向端部にジャッキ等による緊張作業の作業空間を確保する必要がなく、安定した緊張定着作業を実現することができる外ケーブル方式の緊張材の緊張定着方法を提供する。【解決手段】本発明の外ケーブル方式で構造体に張架される緊張材の緊張定着方法は、張架領域における第１固定端と第２固定端との間に、互いに連結可能な第１中継定着ブロックと第２中継定着ブロックとを所定の間隔を空けて配置する。第１固定端と第１中継定着ブロックとに第１緊張材を仮止めすると共に、第２固定端と第２中継定着ブロックとに第２緊張材を仮止めして、第１中継定着ブロックと第２中継定着ブロックとを互いに連結する。連結された第１中継定着ブロックと第２中継定着ブロックとを互いに近接させる方向に移動させて仮止めされた第１緊張材及び第２緊張材を緊張し、固定端及び中継定着ブロックそれぞれに緊張材を定着固定する。【選択図】図２
2019196663.tif 000002
【特許請求の範囲】
【請求項１】
外ケーブル方式で構造体に張架される緊張材の緊張定着方法であって、
前記緊張材の張架領域における第１固定端と第２固定端との間に、互いに連結可能な第１中継定着ブロックと第２中継定着ブロックとを所定の間隔を空けて配置する工程と、
前記第１固定端に第１緊張材の一端を仮止めするとともに、前記第１緊張材の他端を前記第１中継定着ブロックに仮止めする第１仮止め工程と、
前記第２固定端に第２緊張材の一端を仮止めするとともに、前記第２緊張材の他端を前記第２中継定着ブロックに仮止めする第２仮止め工程と、
前記第１中継定着ブロックと前記第２中継定着ブロックとを互いに連結する工程と、
連結された前記第１中継定着ブロックと前記第２中継定着ブロックとを互いに近接させる方向に移動させて仮止めされた前記第１緊張材及び前記第２緊張材を緊張し、前記固定端及び前記中継定着ブロックそれぞれに前記緊張材を定着固定する工程と、
を含むことを特徴とする緊張材の緊張定着方法。
【請求項２】
前記連結する工程は、前記第１中継定着ブロックに設けられた挿入孔と、前記第２中継定着ブロックに設けられた挿入孔とに連結ロッドを挿入し、前記連結ロッドに対して前記第１中継定着ブロック及び前記第２中継定着ブロックが互いに離間する方向への移動を規制する係止部材を設置するとともに、
前記挿入孔は、前記緊張材が仮止めされる領域を囲むように複数設けられ、
前記連結ロッドは、前記挿入孔が形成される平面内において前記領域を挟んで対向する２つの前記挿入孔をペアとして、少なくとも１つの前記ペアとなる前記挿入孔それぞれに複数設けられることを特徴とする請求項１に記載の緊張材の緊張定着方法。
【請求項３】
前記連結する工程は、前記第１中継定着ブロックに設けられた挿入孔と、前記第２中継定着ブロックに設けられた挿入孔とに連結ロッドを挿入し、
前記定着固定する工程は、前記連結ロッドによって連結された前記第１中継定着ブロックと前記第２中継定着ブロックとを互いに近接させる方向に移動させることに伴って変化する前記連結ロッドのひずみ又は荷重を検出する検出センサの検出値をモニタリング装置に出力する工程を含むことを特徴とする請求項１に記載の緊張材の緊張定着方法。
【請求項４】
前記連結する工程は、前記第１中継定着ブロックに設けられた挿入孔と、前記第２中継定着ブロックに設けられた挿入孔とに連結ロッドを挿入し、前記連結ロッドに対して前記第１中継定着ブロック及び前記第２中継定着ブロックが互いに離間する方向への移動を規制する係止部材を設置し、
前記定着固定する工程は、先端が前記挿入孔の周囲に当接するとともに、内部に前記連結ロッド及び前記係止部材が収容可能なスペースを有する圧接部材を備えたジャッキを用いて、前記連結ロッドによって連結された前記第１中継定着ブロックと前記第２中継定着ブロックとを互いに近接させる方向に移動させるとともに、前記圧接部材に設けられた前記スペースの開口部を介して前記係止部材を前記近接させる方向に移動させて前記連結ロッドに対して前記第１中継定着ブロック及び第２中継定着ブロックを固定することを特徴とする請求項１から３のいずれか１つに記載の緊張材の緊張定着方法。
【請求項５】
前記第１固定端、前記第２固定端、前記第１中継定着ブロック及び前記第２中継定着ブロックには、前記緊張材の周囲に配置されるオス部材が挿入される挿通孔が形成されており、
前記第１仮止め工程及び前記第２仮止め工程は、前記各挿通孔に前記緊張材を前記オス部材と共に押し込んで前記緊張材を仮止めする工程であり、
前記定着固定する工程は、前記第１中継定着ブロックと前記第２中継定着ブロックとが互いに近接する移動に伴う仮止めされた前記緊張材の緊張によって前記オス部材が前記挿通孔に挿入され、前記緊張材がくさびによって定着固定されることを特徴とする請求項１から４のいずれか１つに記載の緊張材の緊張定着方法。
【請求項６】
前記第１仮止め工程及び前記第２仮止め工程は、前記緊張材の端部に固定されるとともに、前記第１固定端、前記第１中継定着ブロック、前記第２固定端、前記第２中継定着ブロックに当接する定着体を、前記第１固定端、前記第１中継定着ブロック、前記第２固定端、前記第２中継定着ブロックに仮止めし、
前記定着固定する工程は、前記第１中継定着ブロックと前記第２中継定着ブロックとが互いに近接する移動に伴う仮止めされた前記緊張材の緊張によって前記定着体が当接して定着固定されることを特徴とする請求項１から４のいずれか１つに記載の緊張材の緊張定着方法。
【請求項７】
前記緊張材は、複数のＰＣケーブルで構成されており、
前記第１中継定着ブロック及び前記第２中継定着ブロックには、複数の前記ＰＣケーブルそれぞれが挿通される複数の貫通孔が個別に設けられ、
複数の前記ＰＣケーブルそれぞれが、前記各貫通孔に挿入されて定着固定されることを特徴とする請求項５又は６に記載の緊張材の緊張定着方法。
【発明の詳細な説明】
【技術分野】
【０００１】
本発明は、外ケーブル方式で張架される緊張材の緊張定着方法に関する。
【背景技術】
【０００２】
ＰＣ（プレストレストコンクリート）構造物では、コンクリート躯体に対して内部に又は外部にＰＣ鋼材を緊張させ、両端を定着装置でコンクリート躯体に固定することにより、躯体全体に圧縮力を与えている。
【０００３】
定着装置を用いてＰＣ鋼材をコンクリート躯体に定着固定する場合、ＰＣ鋼材が張架されるコンクリート躯体の端部に作業空間を設けてジャッキを配置し、ジャッキでＰＣ鋼材を引っ張って緊張させる（例えば、特許文献２）。
【０００４】
一方で、特許文献１に記載のように、桁端ではなく、桁端よりも内方で緊張定着を行う技術が提案されている。特許文献１の外ケーブル方式の緊張定着技術によれば、ジャッキ等の作業機器を配置する作業空間を確保する必要がなく、容易に緊張定着を行うことができる。
【先行技術文献】
【特許文献】
【０００５】
【特許文献１】特許第３７５４９８１号公報
【特許文献２】特許第５４２７６５７号公報
【発明の概要】
【発明が解決しようとする課題】
【０００６】
しかしながら、特許文献１の緊張定着技術は、１つの定着板に対して張架方向左右の２つの緊張材を固定しており、緊張材の本数が増えると定着板の構造が大きくせざるを得なくなり、隣接する緊張材同士が干渉するおそれもあるため、安定した緊張定着作業の効率化を図り難い。
【０００７】
そこで本発明は、張架方向端部にジャッキ等による緊張作業の作業空間を確保する必要がなく、安定した緊張定着作業を実現することができる外ケーブル方式の緊張材の緊張定着方法を提供することを目的とする。
【課題を解決するための手段】
【０００８】
本願発明は、外ケーブル方式で構造体に張架される緊張材の緊張定着方法であり、以下の各工程を含む。前記緊張材の張架領域における第１固定端と第２固定端との間に、互いに連結可能な第１中継定着ブロックと第２中継定着ブロックとを所定の間隔を空けて配置する工程と、前記第１固定端に第１緊張材の一端を仮止めするとともに、前記第１緊張材の他端を前記第１中継定着ブロックに仮止めする第１仮止め工程と、前記第２固定端に第２緊張材の一端を仮止めするとともに、前記第２緊張材の他端を前記第２中継定着ブロックに仮止めする第２仮止め工程と、前記第１中継定着ブロックと前記第２中継定着ブロックとを互いに連結する工程と、連結された前記第１中継定着ブロックと前記第２中継定着ブロックとを互いに近接させる方向に移動させて仮止めされた前記第１緊張材及び前記第２緊張材を緊張し、前記固定端及び前記中継定着ブロックそれぞれに前記緊張材を定着固定する工程と、を含む。
【０００９】
ここで、前記連結する工程は、前記第１中継定着ブロックに設けられた挿入孔と、前記第２中継定着ブロックに設けられた挿入孔とに連結ロッドを挿入し、前記連結ロッドに対して前記第１中継定着ブロック及び前記第２中継定着ブロックが互いに離間する方向への移動を規制する係止部材を設置するように構成することができる。このとき、前記挿入孔は、前記緊張材が仮止めされる領域を囲むように複数設けることができ、前記連結ロッドを、前記挿入孔が形成される平面内において前記領域を挟んで対向する２つの前記挿入孔をペアとして、少なくとも１つの前記ペアとなる前記挿入孔それぞれに複数設けるように構成することができる。
【００１０】
また、前記連結する工程は、前記第１中継定着ブロックに設けられた挿入孔と、前記第２中継定着ブロックに設けられた挿入孔とに連結ロッドを挿入するように構成することができる。そして、前記定着固定する工程は、前記連結ロッドによって連結された前記第１中継定着ブロックと前記第２中継定着ブロックとを互いに近接させる方向に移動させることに伴って変化する前記連結ロッドのひずみ又は荷重を検出する検出センサの検出値をモニタリング装置に出力する工程を含むように構成することができる。
【００１１】
また、前記連結する工程は、前記第１中継定着ブロックに設けられた挿入孔と前記第２中継定着ブロックに設けられた挿入孔とに連結ロッドを挿入し、前記連結ロッドに対して前記第１中継定着ブロック及び前記第２中継定着ブロックが互いに離間する方向への移動を規制する係止部材を設置することができる。このとき、前記定着固定する工程は、先端が前記挿入孔の周囲に当接するとともに、内部に前記連結ロッド及び前記係止部材が収容可能なスペースを有する圧接部材を備えたジャッキを用いて、前記連結ロッドによって連結された前記第１中継定着ブロックと前記第２中継定着ブロックとを互いに近接させる方向に移動させるとともに、前記圧接部材に設けられた前記スペースの開口部を介して前記係止部材を前記近接させる方向に移動させて前記連結ロッドに対して前記第１中継定着ブロック及び第２中継定着ブロックを固定するように構成することができる。
【００１２】
また、前記第１固定端、前記第２固定端、前記第１中継定着ブロック及び前記第２中継定着ブロックには、前記緊張材の周囲に配置されるオス部材が挿入される挿通孔を形成することができる。このとき、前記第１仮止め工程及び前記第２仮止め工程は、前記各挿通孔に前記緊張材を前記オス部材と共に押し込んで前記緊張材を仮止めする工程であり、前記定着固定する工程は、前記第１中継定着ブロックと前記第２中継定着ブロックとが互いに近接する移動に伴う仮止めされた前記緊張材の緊張によって前記オス部材が前記挿通孔に挿入され、前記緊張材がくさびによって定着固定されるように構成される。
【００１３】
また、前記第１仮止め工程及び前記第２仮止め工程は、前記緊張材の端部に固定されるとともに、前記第１固定端、前記第１中継定着ブロック、前記第２固定端、前記第２中継定着ブロックに当接する定着体を、前記第１固定端、前記第１中継定着ブロック、前記第２固定端、前記第２中継定着ブロックに仮止めするように構成することができる。このとき、前記定着固定する工程は、前記第１中継定着ブロックと前記第２中継定着ブロックとが互いに近接する移動に伴う仮止めされた前記緊張材の緊張によって前記定着体が当接して定着固定されるように構成される。
【００１４】
また、前記緊張材は、複数のＰＣケーブルで構成することができる。このとき、前記第１中継定着ブロック及び前記第２中継定着ブロックには、複数の前記ＰＣケーブルそれぞれが挿通される複数の貫通孔を個別に設けることができ、複数の前記ＰＣケーブルそれぞれが、前記各貫通孔に挿入されて定着固定されるように構成することができる。
【発明の効果】
【００１５】
本発明によれば、互いに連結可能な第１中継定着ブロックと第２中継定着ブロックとを緊張材の張架領域における第１固定端と第２固定端との間に、所定の間隔を空けて配置する。そして、第１固定端に第１緊張材の一端を仮止めするとともに、第１緊張材の他端を第１中継定着ブロックに仮止めする。同様に、第２固定端に第２緊張材の一端を仮止めするとともに、第２緊張材の他端を第２中継定着ブロックに仮止めする。
【００１６】
このような中継定着ブロックの配置工程と緊張材の仮止め工程とを経て、第１中継定着ブロックと第２中継定着ブロックとを互いに連結し、連結された第１中継定着ブロックと第２中継定着ブロックとを互いに近接させる方向に移動させる。そして、中継定着ブロックの移動に伴って仮止めされた第１緊張材及び第２緊張材を緊張させ、固定端及び中継定着ブロックそれぞれに緊張材を定着固定することができる。
【００１７】
互いに独立した中継定着ブロックそれぞれに各緊張材が定着固定されるため、各中継定着ブロックの小型化を図ることができるともに、仮止めされた各緊張材を個別に緊張させるのではなく、中継定着ブロック間を接近させるだけで、仮止めした緊張材を容易に緊張させることができるので、安定した緊張定着作業の効率化を図ることができる。
【図面の簡単な説明】
【００１８】
【図１】外ケーブル方式を採用したＰＣ構造物（例えば、橋桁）の概略側面図である。
【図２】本実施形態の緊張定着装置の正面図である。
【図３】図２における緊張定着装置のＡ−Ａ断面視図である。
【図４】本実施形態の緊張定着方法の工程を説明するための図である。
【図５】本実施形態の図４に続く緊張定着方法の工程を説明するための図である。
【図６】本実施形態の図５に続く緊張定着方法の工程を説明するための図である。
【図７】本実施形態の図６に続く緊張定着方法の工程を説明するための図である。
【図８】本実施形態のジャッキの側面図及び正面図である。
【図９】本実施形態の緊張定着装置が適用された既設ＰＣケーブルの取り換え方法を説明するための図である。
【図１０】本実施形態の図９に続く緊張定着装置が適用された既設ＰＣケーブルの取り換え方法を説明するための図である。
【図１１】本実施形態の図１０に続く緊張定着装置が適用された既設ＰＣケーブルの取り換え方法を説明するための図である。
【図１２】本実施形態の緊張定着装置に緊張力モニタリング手段を適用した図である。
【図１３】本実施形態の緊張材の定着固定の変形例を示す図である。
【発明を実施するための形態】
【００１９】
以下、実施形態につき、図面を参照して説明する。
【００２０】
（第１実施形態）
図１から図１１は、第１実施形態を示す図である。図１は、外ケーブル方式を採用したプレストレストコンクリート構造物（ＰＣ構造物、例えば、橋桁など）の概略側面図である。外ケーブル方式の橋桁１は、左右両端が橋台に支持（支承）され、橋桁１の左右端部付近に設けられた各定着装置１０，２０の間にＰＣケーブル（緊張材）Ｃが張架される。
【００２１】
本実施形態の外ケーブル方式の緊張材の緊張定着方法は、内ケーブルの一部を外ケーブル方式に置き換えた内外併用ケーブル方式や全外ケーブル方式に適用することができる。橋桁１において、外ケーブルであるＰＣケーブルの第１固定端が定着装置１０であり、第２固定端が定着装置２０である。そして、第１固定端と第２固定端の間の張架領域に、橋脚や中間隔壁等を介してＰＣケーブルＣが敷設されて緊張されている。ＰＣケーブルは、ＰＣ鋼線、ＰＣ鋼より線等を束状に複数本集合させて形成されたものや単線であってもよい。また、鋼線に限らず、炭素繊維ケーブルや繊維強化プラスチック線条体であってもよい。
【００２２】
図２は、緊張定着装置１００の正面図である。緊張定着装置１００は、ＰＣケーブルＣの張架領域における第１固定端と第２固定端との間に配置され、第１固定端の定着装置１０から敷設された第１のＰＣケーブルＣ１と、第２固定端の定着装置２０から敷設された第２のＰＣケーブルＣ２の双方の中継定着端となる。緊張定着装置１００が配置される位置、すなわち、第１固定端と第２固定端とに対する中継定着端の位置は、張架領域の任意の位置とすることができる。
【００２３】
緊張定着装置１００は、互いに連結可能な２つの中継定着ブロック１００Ａ，１００Ｂと、所定の間隔を空けて対向配置された２つの中継定着ブロック１００Ａ，１００Ｂ同士を連結する複数の連結ロッド１１１と、を含んで構成されている。中継定着ブロック１００Ａは、くさび（オス部材）１０３に対するくさび受け部（メス部材）としての挿通孔１０１ａが形成された固定部材１０１と、連結ロッド１１１が挿通される挿入孔１０２ｂが形成された定着板１０２と、ＰＣケーブルＣ１の周囲に配置されるくさび１０３と、を備えている。
【００２４】
定着板１０２には、ＰＣケーブルＣ１の挿通孔１０２ａが複数形成されており、挿通孔１０２ａと固定部材１０１の挿通孔１０１ａとが一致するように、固定部材１０１が定着板１０２に当接配置される。挿通孔１０２ａと挿通孔１０１ａとが中継定着ブロック１００Ａの貫通孔として構成され、ＰＣケーブルＣ１が貫通孔に挿通され、ＰＣケーブルＣ１がくさび１０３と共に挿通孔１０１ａに挿入されることで、ＰＣケーブルＣ１がくさび１０３によって中継定着ブロック１００Ａに定着固定される。なお、定着板１０２と固定部材１０１は、一体形成であってもよい。
【００２５】
図３は、図２における緊張定着装置１００のＡ−Ａ断面視図である。図３に示すように、固定部材１０１の周囲を囲むように連結ロッド１１１の挿入孔１０２ｂが等間隔で配置されている。つまり、各挿入孔１０２ｂは、ＰＣケーブルＣ１が仮止め又は定着固定される領域（固定部材１０１）を囲むように複数設けられている。
【００２６】
そして、連結ロッド１１１は、挿入孔１０２ｂが形成される平面内において固定部材１０１（領域）を挟んで対向する２つの挿入孔１０２ｂをペアとして、少なくとも１つのペアとなる挿入孔１０２ｂそれぞれに設けられるように構成されている。挿入孔１０２ｂは、少なくとも固定部材１０１を挟んで対角線上に２つ形成され、固定部材１０１を挟んだ対角線上の２つの挿入孔１０２ｂのペアが少なくとも１つ設けられている。なお、図３に示す６つ全ての挿入孔１０２ｂに連結ロッド１１１それぞれが設けられるように構成してもよい。
【００２７】
本実施形態では、一例として、複数のＰＣケーブルが緊張材として用いられている。第１中継定着ブロック１００Ａには、複数のＰＣケーブルＣ１それぞれが挿通される複数の貫通孔（挿通孔１０１ａ、１０２ｂ）が設けられ、複数のＰＣケーブルＣ１それぞれが、各貫通孔に挿入されて定着固定される。このとき、図３に示すように、複数の各ＰＣケーブルＣ１は、固定部材１０１において、互いに干渉することなく、かつ密集して配置されている。なお、本方法は、１本のＰＣケーブルのみであっても適用できる。また、固定部材１０１は、例えば、２つに分割されたブロックとして構成し、１つのＰＣケーブルを分割されたブロックで挟み込み、ブロック間を連結するように構成してもよい。
【００２８】
連結ロッド１１１は、中継定着ブロック１００Ａ（定着板１０２）に係止される。このため、連結ロッド１１１にはナットなどの係止部材１１２Ａが設けられる。係止部材１１２Ａは、例えば、連結ロッド１１１に対してネジ嵌合するように構成し、連結ロッド１１１の軸方向において中継定着ブロック１００Ａの位置に応じた移動を許容するように構成されている。本実施形態では、少なくとも２本の連結ロッド１１１Ａと１１１Ｂとが、固定部材１０１を挟んで対角線上の各挿入孔１０２ｂに挿入されて、係止部材１１２Ａ，１１２Ａでそれぞれ固定される。
【００２９】
このように中継定着ブロック１００Ａは、第１固定端の定着装置１０に対して固定部材１０１が定着板（支圧板）１０２の外側に位置しており、ＰＣケーブルＣ１の端部領域が定着固定される。なお、中継定着ブロック１００Ｂは、中継定着ブロック１００Ａと同様の構成なので、同符号（又は関連する符号）を付して説明を省略するが、中継定着ブロック１００Ｂは、第２固定端の定着装置２０に対して固定部材１０１が定着板（支圧板）１０２の外側に位置しており、ＰＣケーブルＣ２の端部領域が定着固定される。
【００３０】
図２に示すように、第１中継定着ブロック１００Ａと第２中継定着ブロック１００Ｂとを所定の間隔を空けて配置し、挿入孔１０２ｂを介して連結ロッド１１１Ａ，１１１Ｂで両者を連結する。連結ロッド１１１Ａ，１１１Ｂで連結された第１中継定着ブロック１００Ａと第２中継定着ブロック１００Ｂとは、互いに近接する方向と、互いに離間する方向とに連結ロッド１１１の軸方向に沿って移動することができ、移動した位置において係止部材１１２Ａ，１１２Ｂで固定することができる。
【００３１】
第１中継定着ブロック１００Ａと第２中継定着ブロック１００Ｂとを互いに近接する方向に移動させることで、ＰＣケーブルＣ１とＰＣケーブルＣ２とを同時に緊張させることができる。一方、緊張状態で第１中継定着ブロック１００Ａと第２中継定着ブロック１００Ｂとを互いに離間する方向に移動させると、ＰＣケーブルＣ１とＰＣケーブルＣ２とを同時に解放、すなわち、緊張力を解放することができる。
【００３２】
次に図４から図８を参照して、本実施形態の緊張定着方法について説明する。図４は、本実施形態の緊張定着方法の工程を説明するための図であり、第１固定端及び第２固定端には、定着装置１０，２０が設置される固定端定着領域がそれぞれ形成されている。固定端定着領域は、定着装置１０の支圧板１２が当接する所定深さを有する作業空間であり、左右の幅は、支圧板１２、定着ブロック１１及びくさび１３と共に定着ブロック１１に挿入されるＰＣケーブルＣ１の端部が配置可能な領域を有する。このとき、第１固定端では、ジャッキによるＰＣケーブルＣ１の緊張作業を行わないので、固定端定着領域においてジャッキ等を配設するスペースやジャッキによる緊張作業スペースが不要となる。
【００３３】
固定端定着領域付近のＰＣケーブルＣ１は、一部が内ケーブル方式と同様に埋設されているが、緊張定着装置１００が配置される領域においては露出しており、定着ブロック１１にくさび１３によって定着固定される。ＰＣケーブルＣ２の端部が定着固定される定着装置２０についても同様である。
【００３４】
まず、作業者は、ＰＣケーブルの張架領域における第１固定端と第２固定端との間の、例えば、橋桁１の下床板に、第１中継定着ブロック１００Ａと第２中継定着ブロック１００Ｂとを所定の間隔を空けて対向配置する。
【００３５】
次に、定着装置１０（第１固定端）にＰＣケーブルＣ１（第１緊張材）の一端を仮止めするとともに、ＰＣケーブルＣ１の他端を第１中継定着ブロック１００Ａ（固定部材１０１）に仮止めする（第１仮止め工程）。また、定着装置２０（第２固定端）にＰＣケーブルＣ２（第２緊張材）の一端を仮止めするとともに、ＰＣケーブルＣ２の他端を第２中継定着ブロック１００Ｂに仮止めする（第２仮止め工程）。ここで、仮止めとは、緊張せずに、ＰＣケーブルＣ１，Ｃ２の周囲に設けられるくさび１３，２３を、ＰＣケーブルＣ１，Ｃ２と一緒に各定着ブロック１１，２１に押し込んだり、ＰＣケーブルＣ１，Ｃ２の周囲に設けられるくさび１０３，１０３を、ＰＣケーブルＣ１，Ｃ２と一緒に各固定部材１０１，１０１に押し込んだりするものである。
【００３６】
仮止め工程の後に、第１中継定着ブロック１００Ａと第２中継定着ブロック１００Ｂとを互いに連結する。具体的には図５に示すように、第１中継定着ブロック１００Ａの各挿入孔１０２ｂと第２中継定着ブロック１００Ｂの各挿入孔１０２ｂとに連結ロッド１１１Ａ，１１１Ｂをそれぞれ挿通し、各定着板１０２，１０２の外側から連結ロッド１１１Ａ，１１１Ｂに係止部材１１２Ａ，１１２Ｂを嵌合する。係止部材１１２Ａ，１１２Ｂは、連結ロッド１１１Ａ，１１１Ｂに対して第１中継定着ブロック１００Ａ及び第２中継定着ブロック１００Ｂが互いに離間する方向への移動を規制する。
【００３７】
図６に示すように、ジャッキ２００を用いて、連結ロッド１１１Ａ，１１１Ｂによって連結された第１中継定着ブロック１００Ａと第２中継定着ブロック１００Ｂとを互いに近接させる方向に移動させて、仮止めされたＰＣケーブルＣ１及びＰＣケーブルＣ２を緊張し、第１，第２固定端及び中継定着ブロック１００Ａ，１００ＢそれぞれにＰＣケーブルＣ１，Ｃ２を定着固定する（定着固定する工程）。
【００３８】
図８は、本実施形態のジャッキ２００の側面図及び正面図である。ジャッキ２００は、内部に連結ロッド１１１Ａ及び係止部材１１２Ａが収容可能なスペースＳ１を有する筒状の圧接部材２０３を備えており、圧接部材２０３とピストン２０２とがシリンダ２０１に格納されている。ジャッキ２００は、連結ロッド１１１Ａ，１１１Ｂが内部を通過するセンターホールジャッキである。
【００３９】
図６に示すように、連結ロッド１１１Ａ，１１１Ｂの先端部分及び係止部材１１２Ａを圧接部材２０３で覆うように各ジャッキ２００を取り付け、圧接部材２０３の先端を定着板１０２の挿入孔１０２ｂの周囲に当接させる。このとき、連結ロッド１１１Ａ，１１１Ｂの各先端部分は、シリンダ２０１及びピストン２０２を貫通して圧接部材２０３とは反対側に突出しており、突出した部分にナット等の係止部材２０４が設けられる。係止部材２０４によって、連結ロッド１１１Ａ，１１１Ｂがピストン２０２に固定される。そして、ピストン２０２が圧接部材２０３を押圧すると、連結ロッド１１１Ａ，１１１Ｂに対して第１中継定着ブロック１００Ａ（定着板１０２）を、第２中継定着ブロック１００Ｂに近接させる方向に移動させることができる。このとき、図８に示すように、圧接部材２０３には、スペースＳ１の開口部２０３ｂが設けられているので、開口部２０３ｂを介して係止部材１１２Ａ，１１２Ａを近接させる方向に移動させながら連結ロッド１１２Ａ，１１２Ｂに対して第１中継定着ブロック１００Ａ及び第２中継定着ブロック１００Ｂを固定する。開口部２０３ｂは、スペースＳ１の周囲の壁部２０３ａの一部を切り欠いた窓部であり、開口部２０３ｂを介して係止部材１１２Ａ，１１２Ｂを操作することができる。
【００４０】
ＰＣケーブルＣ１，Ｃ２を緊張して定着固定して後、図７に示すように、第１固定端及び第２固定端の各固定端定着領域の定着装置１０，２０が配置される作業空間を埋めて緊張定着作業を終了する。その後、左右両端外側にはパラペット（胸壁）が構築される（図１参照）。
【００４１】
本実施形態の外ケーブル方式の緊張材の緊張定着方法は、張架方向端部にジャッキ等による緊張作業の作業空間を確保する必要がなく、安定した緊張定着作業を実現することができる。
【００４２】
特に、互いに独立した中継定着ブロック１００Ａ，１００Ｂそれぞれに各ＰＣケーブルＣ１，Ｃ２が定着固定されるため、各中継定着ブロック１００Ａ，１００Ｂの小型化を図ることができるともに、仮止めされた各ＰＣケーブルＣ１，Ｃ２を個別に緊張させるのではなく、中継定着ブロック１００Ａ，１００Ｂ間を接近させるだけで、仮止めしたＰＣケーブルＣ１，Ｃ２を容易に緊張させることができるので、安定した緊張定着作業の効率化を図ることができる。
【００４３】
また、本実施形態の緊張定着装置１００が適用された外ケーブル方式の緊張材は、張架方向端部（第１固定端、第２固定端）にジャッキ等による作業空間を確保する必要がなく、容易に既設ＰＣケールの緊張力を解放して取り換え作業を行うことができる。図９から図１１は、本実施形態の緊張定着装置１００が適用された既設ＰＣケーブルの取り換え方法を説明するための図である。
【００４４】
図９は、図７に対応しており、既設ＰＣケーブルＣ１，Ｃ２の取り換えに際して、固定端定着領域に埋設されている定着装置１０，２０をそれぞれ露出させる。このとき、緊張力の解放は、固定端定着領域ではなく、緊張定着装置１００で行うので、構築済みのパラペットによって作業空間が確保し難いなどといった問題が生じない。
【００４５】
そして、図１０に示すように、連結ロッド１１１Ａ，１１１Ｂによって連結された第１中継定着ブロック１００Ａと第２中継定着ブロック１００Ｂとを互いに離間させる方向に移動させて、緊張されたＰＣケーブルＣ１及びＰＣケーブルＣ２の緊張力を解放する。
【００４６】
互いに独立した中継定着ブロック１００Ａ，１００Ｂそれぞれに定着固定された各ＰＣケーブルＣ１，Ｃ２は、互いに離間させる方向に移動するだけの単純な作業で、ＰＣケーブルＣ１，Ｃ２の緊張力を容易に解放することができる。なお、離間させる方向への移動は、ジャッキ２００を用いて、係止部材１１２Ａ，１１２Ａを連結ロッド１１１Ａ，１１１Ｂの端部方向に移動させたりすることができる。
【００４７】
図１１に示すように、既存のＰＣケーブルＣ１を定着装置１０と第１中継定着ブロック１００Ａから取り外すとともに、既存のＰＣケーブルＣ２を定着装置２０と第２中継定着ブロック１００Ｂから取り外す。このように既設ＰＣケーブルの緊張力解放と取り外しを容易に行うことができ、図４から図７に示したように、新たにＰＣケーブルＣ１，Ｃ２を容易に付け替えることができる。
【００４８】
本実施形態の緊張定着装置１００は、既設ＰＣケーブルの全てを交換したり、一方の中継定着ブロック１００Ａ（又は１００Ｂ）のＰＣケーブルだけを交換したり、中継定着ブロック１００Ａ（又は１００Ｂ）において、複数のＰＣケーブルのうち交換対象のＰＣケーブルのみを交換したりすることができる。
【００４９】
図１２は、本実施形態の緊張定着装置１００に緊張力モニタリング手段を適用した図である。図１２は、図６に対応しており、２つの中継定着ブロック１００Ａ，１００Ｂ間の連結ロッド１１１Ａ，１１１Ｂに、緊張力検出センサ３００が取り付けられている。緊張力検出センサ３００は、ひずみセンサや荷重計である。緊張力検出センサ３００の検出値は、緊張力モニタリング装置３０１に出力される。定着固定する工程において、連結ロッド１１１Ａ，１１１Ｂによって連結された第１中継定着ブロック１００Ａと第２中継定着ブロック１００Ｂとを互いに近接させる方向に移動させることに伴って連結ロッド１１１Ａ，１１１Ｂのひずみ又は荷重が変化するので、その検出値を緊張力モニタリング装置３０１に出力してモニタリングすることができる。なお、連結ロッド１１１Ａ，１１１Ｂの双方又は一方に緊張力検出センサ３００を取り付けてモニタリングすることができる。
【００５０】
ＰＣケーブルＣ１，Ｃ２の緊張力計測に連結ロッド１１１Ａ，１１１Ｂを用いることより、１）複数本分のＰＣケーブルの緊張力を連結ロッド１１１Ａ，１１１Ｂが負担していることから，少ない計器でＰＣケーブル全体の緊張力を直接的に計測することができる。２）連結ロッド１１１Ａ，１１１Ｂに、例えば、丸棒などの軸方向に断面形状（断面積）の変化がない均一形状のロッドを用いることで、安定した測定値が得られる。
【００５１】
図１３は、本実施形態の緊張材の定着固定の変形例を示す図である。図１３に示す変形例は、第１中継定着ブロック１００Ａ及び第２中継定着ブロック１００Ｂに対するＰＣケーブルＣ１，Ｃ２の定着手段が、くさびではなく、定着体としてグリップ体１０３ａを用いている。第１中継定着ブロック１００Ａ及び第２中継定着ブロック１００Ｂ（固定部材１０１）の各挿通孔１０１ｂは、ＰＣケーブルＣ１，Ｃ２が挿通する均一な径を有する貫通した孔であり、各挿通孔１０１ｂにＰＣケーブルＣ１，Ｃ２を挿通させた後の挿通孔１０１ｂから突出するＰＣケーブルＣ１，Ｃ２の端部に、挿通孔１０１ｂの周囲に当接するグリップ体１０３ａを固定する。
【００５２】
グリップ体１０３ａは、軸方向においてＰＣケーブルＣ１，Ｃ２の周囲に設けられ、ＰＣケーブルＣ１，Ｃ２の径よりも幅広の径を有する。グリップ体１０３ａは、例えば、ＰＣケーブルＣ１，Ｃ２に対してカシメ加工により圧着して固定されたり、ＰＣケーブルＣ１，Ｃ２の周囲に設けられたグリップ体１０３ａの内部に膨張材を充填したりして固定することができる。
【００５３】
定着固定する工程において、第１中継定着ブロック１００Ａと第２中継定着ブロック１００Ｂとが互いに近接する移動に伴う仮止めされたＰＣケーブルＣ１，Ｃ２の緊張によってグリップ体１０３ａが挿通孔１０１ｂの周囲に当接して定着固定される。
【００５４】
なお、グリップ体１０３ａを用いた定着方法の他の例としては、固定部材１０１の周方向端部において凹状の係止部を形成し、係止部にＰＣケーブルを挿通させつつ、係止部の周囲にグリップ体１０３ａが当接して固定されるように構成することができる。つまり、周方向から凹状に切り欠いた係止部は、ＰＣケーブルの張架方向において、ＰＣケーブルとほぼ同じ径を有する穴部として形成され、グリップ体１０３ａは、係止部の凹領域よりも幅広の径を有し、図１３の例と同様に固定部材１０１の張架方向端面においてグリップ体１０３ａが当接することで、ＰＣケーブルが第１中継定着ブロック１００Ａ及び第２中継定着ブロック１００Ｂに定着固定される。この場合、グリップ体１０３ａは、予めＰＣケーブルの端部に形成しておくことができ、定着板１０２の挿通孔１０２ａをグリップ体１０３ａが挿通可能な大きさに形成することで、仮止め工程において、予め端部にグリップ体１０３ａが予め形成されたＰＣケーブルを仮止めすることができる。
【００５５】
したがって、第１仮止め工程及び第２仮止め工程は、くさびを用いずに、ＰＣケーブルの端部に固定されるとともに、第１中継定着ブロック１００Ａ、第２中継定着ブロック１００Ｂに当接するグリップ体１０３ａを仮止めし、定着固定する工程において、第１中継定着ブロック１００Ａと第２中継定着ブロック１００Ｂとが互いに近接する移動に伴う仮止めされたＰＣケーブルＣ１，Ｃ２の緊張によってグリップ体１０３ａが当接して定着固定されるように構成することができる。
【００５６】
なお、図１３の例では、第１中継定着ブロック１００Ａと第２中継定着ブロック１００Ｂとに、グリップ体１０３ａを用いた定着手段を例示したが、第１固定端及び第２固定端における定着装置１０，２０の定着手段としても適用することができる。つまり、第１固定端、第２固定端、第１中継定着ブロック１００Ａ及び第２中継定着ブロック１００Ｂは、くさび又はグリップ体１０３ａを用いた任意の定着手段を適用することができる。
【符号の説明】
【００５７】
１０  定着装置（第１固定端）
２０  定着装置（第２固定端）
１００  緊張定着装置
１００Ａ  第１中継定着ブロック
１００Ｂ  第２中継定着ブロック
１０１  固定部材
１０１ａ  挿通孔
１０２  定着板
１０２ａ  挿通孔
１０２ｂ  挿入孔
１０３  くさび
１１１，１１１Ａ，１１１Ｂ  連結ロッド
１１２Ａ，１１２Ｂ  係止部材
２００  ジャッキ
３００  緊張力検出センサ
３０１  緊張力モニタリング装置
Ｃ，Ｃ１，Ｃ２  ＰＣケーブル
【図１】
2019196663.tif 000003
【図２】
2019196663.tif 000004
【図３】
2019196663.tif 000005
【図４】
2019196663.tif 000006
【図５】
2019196663.tif 000007
【図６】
2019196663.tif 000008
【図７】
2019196663.tif 000009
【図８】
2019196663.tif 000010
【図９】
2019196663.tif 000011
【図１０】
2019196663.tif 000012
【図１１】
2019196663.tif 000013
【図１２】
2019196663.tif 000014
【図１３】
2019196663.tif 000015